(57)【要約】  【課題】  体軸に対する重心のブレを抑制する下肢部保護衣料を提供することを目的とする。  【解決手段】  膝蓋骨を越えない長さを有する下肢部保護衣料であって、伸縮性を有する身頃と、該身頃よりも強い緊締力を有するサポート部と、を備え、該サポート部は、大臀筋の上部から中臀筋及び大転子を通る第１ラインと、中臀筋前部から大臀筋下部を通る第２ラインと、を有し、該第１ライン及び第２ラインが該大転子上で交差してなる、下肢部保護衣料により解決する。【選択図】    図１
2006322121.tif 000002
【特許請求の範囲】
【請求項１】
膝蓋骨を越えない長さを有する下肢部保護衣料であって、
伸縮性を有する身頃と、
該身頃よりも強い緊締力を有するサポート部と、を備え、
該サポート部は、
大臀筋の上部から中臀筋及び大転子を通る第１ラインと、
中臀筋前部から大臀筋下部を通る第２ラインと、
を有し、
該第１ライン及び第２ラインが該大転子上で交差してなる、下肢部保護衣料。
【請求項２】
前記サポート部が、
前記第１ラインから、大腿四頭筋の上部を斜め下方に向かって横切り、
半腱様筋及び半膜様筋から大腿二頭筋の上部を斜め上方に向かって横切り、前記第２ラインに至る第３ラインを有する、
請求項１記載の下肢部保護衣料。
【請求項３】
前記サポート部が、前記第１ラインの上端部から対向する側の第１ラインの上端部にかけて腰部を横断する第４ラインを有する、請求項１又は２記載の下肢部保護衣料。
【発明の詳細な説明】
【技術分野】
【０００１】
本発明は、下肢部保護衣料に関し、詳しくは、下肢部の筋肉や関節の動作をサポートする機能を有する下肢部保護衣料に関する。
【背景技術】
【０００２】
従来から、腰、膝等の関節及びそれら周囲の筋肉をサポートし、姿勢維持、腰痛防止、疲労軽減、運動支援等の効果を発揮する機能性衣料が知られている。そのような機能性衣料は、一般的に、人体への密着性が高く伸縮性が高い生地をベースに、部分的に非伸縮性の生地又は伸縮性が低い生地（緊締力が強い生地）が配置されて構成される。そして、非伸縮性の生地又は伸縮性が低い生地の配置は、運動時における筋肉の動作が考慮されて決定されている。
【０００３】
例えば、ハムストリングスの筋動作をサポートすることを目的として、伸縮性生地に緊締力の強い生地を用いた衣料であって、緊締力の強い部分が、大転子、大腿二頭筋と腸頸靱帯との境界を通って、大腿二頭筋の下部を横切り脛骨上端に至る、下肢部保護衣料が開示されている（特許文献１）
【特許文献１】特開平１０−２８０２０９号公報
【発明の開示】
【発明が解決しようとする課題】
【０００４】
しかしながら、歩く、走る等の下肢部の前後方向の動作をストレスのない状態で動かすためには、体軸に対する重心のブレ（ズレ）を最小限に抑える必要がある。重心のブレがあると、下肢部の前後方向の動きはもとより、簡易な動作でも、それが長時間連続することにより疲労が蓄積する。
【０００５】
重心のブレには主に、大転子が体の外側方向へ回転することにより発生する場合と、内側方向へ回転することにより発生する場合とがある。いずれの場合も、歩行動作時又は走行動作時に、片脚に重心がかかり、重心がかかった側の脚の大転子が体の外側方向又は内側方向に回転することによって起きる。重心のブレの幅が大きいほど疲労の蓄積が早くなる傾向にある。特に、大転子が体の外側方向に回転すると、いわゆるＯ脚の状態となる。Ｏ脚が進行すると、内側半月板の炎症等の疾患を惹起する可能性もある。
【０００６】
本発明は、このような事情に鑑み、体軸に対する重心のブレを抑制する下肢部保護衣料を提供することを目的とする。
【課題を解決するための手段】
【０００７】
本発明者らは鋭意検討を行った結果、下肢部の動作の基点となるのが大腿骨上部に位置する大転子であることを見い出した。そして、この大転子を体側面から加圧することにより、上記課題を解決することができるとの知見を得た。本発明はかかる知見に基づきなされたものであり、膝蓋骨を越えない長さを有する下肢部保護衣料であって、伸縮性を有する身頃と、該身頃よりも強い緊締力を有するサポート部と、を備え、該サポート部は、大臀筋の上部から中臀筋及び大転子を通る第１ラインと、中臀筋前部から大臀筋下部を通る第２ラインと、を有し、該第１ライン及び第２ラインが該大転子上で交差してなる、下肢部保護衣料を提供するものである。
【０００８】
このような構成により、身頃よりも強い緊締力を有するサポート部が大転子上で交差するラインを形成し、大転子を体側面から加圧することが可能となるため、動作時における体軸のブレを抑制することができる。
【０００９】
上記発明の好ましい態様は次の通りである。前記サポート部が、前記第１ラインから、大腿四頭筋の上部を斜め下方に向かって横切り、半腱様筋及び半膜様筋から大腿二頭筋の上部を斜め上方に向かって横切り、前記第２ラインに至る第３ラインを有することが好ましい。このような構成により、縫工筋及び大腿四頭筋をサポートすることができるため、脚部の前方への蹴り出しを補助しつつ、筋肉疲労を軽減することができる。
【００１０】
前記サポート部が、前記第１ラインの上端部から対向する側の第１ラインの上端部にかけて腰部を横断する第４ラインを有することが好ましい。このような構成により、本発明に係る下肢部保護衣料を装着した際に、腰部に対して適切な加圧を継続的に加えることができ、本発明に係る下肢部保護衣料を装着した者は常に腰部が支えられているように感じることができる。
【発明の効果】
【００１１】
本発明によれば、運動時、特に片足に加重がかかるような状況においても、体軸に対する大転子の横方向のブレ又は膝関節の内転を最小限に抑え、動作時における体軸のブレを抑制することができる。
【発明を実施するための最良の形態】
【００１２】
次に、本発明の好ましい実施形態について、更に具体的に説明する。図１〜図３は、本実施形態に係る下肢部保護衣料としてのスパッツ１を示した図である。図１はスパッツ１の正面図、図２はスパッツ１の左側面図、図３はスパッツ１の背面図をそれぞれ示している。
【００１３】
図１〜図３に示すように、本実施形態に係るスパッツ１は、身頃１０とサポート部１２とを備えている。
【００１４】
身頃１０は、伸縮性に富む生地が使用される。そのため、スパッツ１は身体に密着した状態で使用される。伸縮性に富む生地としては、例えば、ナイロン、ポリエステル、アクリル、トリアセテート、ポリウレタン等の繊維を使用した丸編み（緯編地）、トリコット（経編地）等を挙げることができる。
【００１５】
図４は、サポート部１２のラインが交差する位置と大転子の位置との関係を示した図である。また、図５〜図７は、サポート部１２の位置と筋肉の位置との関係を示した図である。なお、図５は正面図、図６は左側面図、図７は背面図である。
【００１６】
サポート部１２は、４〜２０ｃｍ幅で帯状に形成された帯状片からなる。サポート部１２の幅は支持する筋肉の場所や加圧する強度に応じて適宜変更することができる。
【００１７】
サポート部１２は身頃１０よりも強い緊締力を有する。また、身頃１０に使用される生地と同じ生地を用いる場合であっても、サポート部１２を身頃１０に縫着する際に、サポート部１２の長手方向にテンションをかけた状態で縫着し、身頃１０よりも強い緊締力を得ることもできる。緊締力以外の生地の構成、例えば、生地に使用される糸及び編地等については、身頃１０で使用されるものと同じものを使用することができる。
【００１８】
また、サポート部１２は、大臀筋２０の上部から中臀筋２２及び大転子２４を通る第１ライン１２ａと、中臀筋２２前部から大臀筋２０下部を通る第２ライン１２ｂと、を有している。そして、図４及び図６に示すように、第１ライン１２ａ及び第２ライン１２ｂが大転子２４上でＸ字状に交差している。第１ライン１２ａ及び第２ライン１２ｂが交差している領域は、帯状片が２層に積層した状態となっている。これにより、大転子２４は体側面から相当の緊締力をもって加圧され、大転子２４が外側方向又は内側方向へ回転することに起因する重心のブレを防止することができる。
【００１９】
また、大転子２４上で第１ライン１２ａ及び第２ライン１２ｂを交差させることにより、付随的な効果として、姿勢の維持、腰痛の防止、疲労の軽減、体軸バランスの補正、内側半月板の損傷防止、膝関節炎の防止、Ｏ脚の抑制、運動パフォーマンスの向上、股関節の保護等、多くの効果が期待できる。
【００２０】
なお、上記の効果を得るために、身頃１０の長さを膝蓋骨１４を越えて形成することは特に必要とされない。大転子２４に対して体側面から加圧することにより、大腿骨を介して膝部分の補整効果も得ることができるからである。従って、身頃１０は、膝蓋骨１４を越えない長さに形成されている。もちろん、身頃１０の長さを膝蓋骨１４を越えるように形成しても上記の効果を得ることができる。そのため、季節又はデザインコンセプトに応じて、ショートタイプ、ロングタイプ等のデザインの変更を適宜行うことができる。
【００２１】
第１ライン１２ａと第２ライン１２ｂによって形成されるクロスラインは、大転子２４に対して加圧するためには、第１ライン１２ａと第２ライン１２ｂのそれぞれの両端が固定されるか、長さ方向の引張り力が必要とされる。本実施形態においては、後述する第３ラインによって長さ方向の引張り力を発生させ、大転子２４への加圧を実現している。
【００２２】
なお、第１ライン１２ａ又は第２ライン１２ｂのいずれかしかない場合、必要とされる強度を得ることができず、本発明の効果を発揮することはできない。
【００２３】
第３ライン１２ｃは、第１ライン１２ａから、大腿四頭筋２８の上部を斜め下方に向かって横切り、半腱様筋３０及び半膜様筋３２から大腿二頭筋３４の上部を斜め上方に向かって横切り、第２ライン１２ｂに至る。換言すれば、第３ライン１２ｃは、脚の付け根部分を取り囲むように形成されている。そのため、図５及び図７に示すように、腸腰筋３６、恥骨筋３８、縫工筋４０、長内転筋４２、大内転筋４４、薄筋４７等の筋肉もサポートされる。これにより、縫工筋４０及び大腿四頭筋２８の縦方向の筋伸縮を補助することができる。また、脚部の前方への蹴り出しを補助しつつ、筋肉疲労を軽減することができる。
【００２４】
なお、大腿四頭筋２８は、図５に示すように、大腿直筋４６、内側広筋４８、外側広筋５０及び中間広筋５２からなる。本実施形態においては、このうち大腿直筋４６、内側広筋４８、外側広筋５０の上部が第３ライン１２ｃによって支持される。
【００２５】
更に、図３に示すように、第１ライン１２ａの上端部から対向する側の第１ライン１２ａの上端部にかけて腰部を横断する第４ライン１２ｄを有する。第４ラインについても、両側の第１ライン１２ａ及び１２ａが第４ラインに対し長さ方向の引張り力を発生させ、腰部への加圧を実現している。そのため、スパッツ１を装着した者は常に腰部が支えられているように感じる。その他、姿勢の維持、腰痛の防止、疲労の軽減、運動パフォーマンスの向上等の付随的な効果も期待できる。
【００２６】
上述したサポート部１２は、支持する筋肉の部位に応じて、第１ライン、第２ライン、第３ライン及び第４ラインと称しているが、本実施形態においては、サポート部１２は、１本のラインとして説明することができる。即ち、サポート部１２は、腰部から両側の大臀筋２０の上部、中臀筋２２及び大転子２４を通り、大腿四頭筋２８の上部を斜め下方に向かって横切り、脚部の内側にまで達した後、半腱様筋３０、半膜様筋３２及び大腿二頭筋３４の上部を斜め上方に向かって横切り、大臀筋２０の下部及び腸頸靱帯２６の上部を通り、中臀筋２２の下部と大転子２４の近傍で交差し、中臀筋２２の上部に至る。なお、上記とは逆に、中臀筋２２の上部から最終的に腰部に至る場合でも同様である。
【産業上の利用可能性】
【００２７】
本発明に係る下肢部保護衣料は、運動パフォーマンスの向上、筋力の補強、疲労の軽減、膝関節炎の防止、股関節の保護、内側半月板の損傷防止等、筋力の補助や怪我の防止に有効であるため、スポーツ用のスパッツとして利用することができる。
【００２８】
また、本発明に係る下肢部保護衣料は、姿勢の維持、腰痛の防止、体軸バランス補正、Ｏ脚の抑制等、身体の補整にも有効であるため、補整用のスパッツとしても利用可能である。
【図面の簡単な説明】
【００２９】
【図１】実施形態に係るスパッツ１の正面図である。
【図２】実施形態に係るスパッツ１の左側面図である。
【図３】実施形態に係るスパッツ１の背面図である。
【図４】サポート部１２のラインが交差する位置と大転子の位置との関係を示した図である。
【図５】サポート部１２の位置と筋肉の位置との関係を示した正面図である。
【図６】サポート部１２の位置と筋肉の位置との関係を示した左側面図である。
【図７】サポート部１２の位置と筋肉の位置との関係を示した背面図である。
【符号の説明】
【００３０】
１…スパッツ、１０…身頃、１２…サポート部、１２ａ…第１ライン、１２ｂ…第２ライン、１２ｃ…第３ライン、１２ｄ…第４ライン、１４…膝蓋骨、２０…大臀筋、２２…中臀筋、２４…大転子、２６…腸頸靱帯、２８…大腿四頭筋、３０…半腱様筋、３２…半膜様筋、３４…大腿二頭筋、３６…腸腰筋、３８…恥骨筋、４０…縫工筋、４２…長内転筋、４４…大内転筋、４６…大腿直筋、４７…薄筋、４８…内側広筋、５０…外側広筋、５２…中間広筋、５４…大腿筋膜張筋
【図１】
2006322121.tif 000003
【図２】
2006322121.tif 000004
【図３】
2006322121.tif 000005
【図４】
2006322121.tif 000006
【図５】
2006322121.tif 000007
【図６】
2006322121.tif 000008
【図７】
2006322121.tif 000009